(57)【要約】【課題】軸受部からタービンハウジング又はコンプレッサハウジングへの潤滑油の漏れを抑制することができるターボチャージャーの軸受ハウジングを提供する。【解決手段】タービンハウジングとコンプレッサハウジングとの間に配置され、潤滑油が供給されると共に潤滑油を用いてシャフト２０を回転可能に支持するタービン側浮動ブッシュ軸受３０及びコンプレッサ側浮動ブッシュ軸受４０が配置される軸受部１１０を具備するターボチャージャーの軸受ハウジング１００であって、軸受部１１０のタービンハウジング側の端部及びコンプレッサハウジング側の端部の少なくともいずれか一方からの潤滑油の流出を阻害する抵抗部１４０を具備する。【選択図】図４
2016089795.tif 000002
【特許請求の範囲】
【請求項１】
タービンハウジングとコンプレッサハウジングとの間に配置され、潤滑油が供給されると共に前記潤滑油を用いてシャフトを回転可能に支持する浮動ブッシュ軸受が配置される軸受部を具備するターボチャージャーの軸受ハウジングであって、
前記軸受部の前記タービンハウジング側の端部及び前記コンプレッサハウジング側の端部の少なくともいずれか一方からの前記潤滑油の流出を阻害する抵抗部を具備する、
ターボチャージャーの軸受ハウジング。
【請求項２】
前記浮動ブッシュ軸受は、
前記軸受部のタービンハウジング側及びコンプレッサハウジング側にそれぞれ配置され、
前記抵抗部は、
前記軸受部に溝状に形成され、前記タービンハウジング側に配置される前記浮動ブッシュ軸受の回転によって、前記タービンハウジング側に配置される前記浮動ブッシュ軸受の外周面と前記軸受部との間を流れる潤滑油が、前記タービンハウジング側から前記コンプレッサハウジング側に流れるように促すタービン側抵抗部と、
前記軸受部に溝状に形成され、前記コンプレッサハウジング側に配置される前記浮動ブッシュ軸受の回転によって、前記コンプレッサハウジング側に配置される前記浮動ブッシュ軸受の外周面と前記軸受部との間を流れる潤滑油が、前記コンプレッサハウジング側から前記タービンハウジング側に流れるように促すコンプレッサ側抵抗部と、
を具備する、
請求項１に記載のターボチャージャーの軸受ハウジング。
【請求項３】
前記タービン側抵抗部及び前記コンプレッサ側抵抗部は、
前記軸受部の前記タービンハウジング側及び前記コンプレッサハウジング側に配置される浮動ブッシュ軸受の回転方向に沿って、前記潤滑油の流れを促す方向に延びる螺旋状に形成される、
請求項２に記載のターボチャージャーの軸受ハウジング。
【請求項４】
前記軸受部には、
前記タービン側抵抗部が形成される部分と前記コンプレッサ側抵抗部が形成される部分との間に、前記潤滑油を前記軸受部の外部に流出させる流出部が形成される、
請求項２又は請求項３に記載のターボチャージャーの軸受ハウジング。
【発明の詳細な説明】
【技術分野】
【０００１】
本発明は、タービンハウジングとコンプレッサハウジングとの間に配置され、潤滑油が供給されると共に潤滑油を用いてシャフトを回転可能に支持する浮動ブッシュ軸受が配置される軸受部を具備するターボチャージャーの軸受ハウジングの技術に関する。
【背景技術】
【０００２】
従来、タービンハウジングとコンプレッサハウジングとの間に配置され、潤滑油が供給されると共に潤滑油を用いてシャフトを回転可能に支持する浮動ブッシュ軸受が配置される軸受部を具備するターボチャージャーの軸受ハウジングの技術は公知となっている。例えば、特許文献１に記載の如くである。
【０００３】
特許文献１に記載のターボチャージャーの軸受ハウジングは、軸受ハウジング本体とラジアルベアリング（浮動ブッシュ軸受）を支持するためのブッシュ（軸受部）とに分割される。ブッシュには、軸受ハウジング本体から潤滑油が流入する。ブッシュに流入した潤滑油は、ブッシュの軸方向における端部から流出し、ブッシュの下方に形成される下部排油空間から軸受ハウジングの外部に排出される。
【０００４】
このように構成される前記軸受ハウジングは、ブッシュの軸方向における端部から潤滑油が流出し易い（潤滑油が勢いよく流出し易い）。このため、前記軸受ハウジングにおいては、ブッシュの軸方向における端部から流出した潤滑油が、軸受ハウジング本体とシャフトとの隙間をシールするシール部を通過してタービンハウジングやコンプレッサハウジングに漏れ易くなってしまう可能性がある。
【先行技術文献】
【特許文献】
【０００５】
【特許文献１】特開２００８−２０８７３２号公報
【発明の概要】
【発明が解決しようとする課題】
【０００６】
本発明は、以上の如き状況を鑑みてなされたものであり、軸受部から流出した潤滑油が、タービンハウジングやコンプレッサハウジングへと漏れるのを抑制することができるターボチャージャーの軸受ハウジングを提供するものである。
【課題を解決するための手段】
【０００７】
本発明の解決しようとする課題は以上の如くであり、次にこの課題を解決するための手段を説明する。
【０００８】
即ち、請求項１においては、タービンハウジングとコンプレッサハウジングとの間に配置され、潤滑油が供給されると共に前記潤滑油を用いてシャフトを回転可能に支持する浮動ブッシュ軸受が配置される軸受部を具備するターボチャージャーの軸受ハウジングであって、前記軸受部の前記タービンハウジング側の端部及び前記コンプレッサハウジング側の端部の少なくともいずれか一方からの前記潤滑油の流出を阻害する抵抗部を具備するものである。
【０００９】
請求項２においては、前記浮動ブッシュ軸受は、前記軸受部のタービンハウジング側及びコンプレッサハウジング側にそれぞれ配置され、前記抵抗部は、前記軸受部に溝状に形成され、前記タービンハウジング側に配置される前記浮動ブッシュ軸受の回転によって、前記タービンハウジング側に配置される前記浮動ブッシュ軸受の外周面と前記軸受部との間を流れる潤滑油が、前記タービンハウジング側から前記コンプレッサハウジング側に流れるように促すタービン側抵抗部と、前記軸受部に溝状に形成され、前記コンプレッサハウジング側に配置される前記浮動ブッシュ軸受の回転によって、前記コンプレッサハウジング側に配置される前記浮動ブッシュ軸受の外周面と前記軸受部との間を流れる潤滑油が、前記コンプレッサハウジング側から前記タービンハウジング側に流れるように促すコンプレッサ側抵抗部と、を具備するものである。
【００１０】
請求項３においては、前記タービン側抵抗部及び前記コンプレッサ側抵抗部は、前記軸受部の前記タービンハウジング側及び前記コンプレッサハウジング側に配置される浮動ブッシュ軸受の回転方向に沿って、前記潤滑油の流れを促す方向に延びる螺旋状に形成されるものである。
【００１１】
請求項４においては、前記軸受部には、前記タービン側抵抗部が形成される部分と前記コンプレッサ側抵抗部が形成される部分との間に、前記潤滑油を前記軸受部の外部に流出させる流出部が形成されるものである。
【発明の効果】
【００１２】
本発明の効果として、以下に示すような効果を奏する。
【００１３】
請求項１においては、軸受部から流出した潤滑油が、タービンハウジングやコンプレッサハウジングへと漏れるのを抑制することができる。
【００１４】
請求項２においては、軸受部から流出した潤滑油が、タービンハウジング及びコンプレッサハウジングへと漏れるのを抑制することができる。
【００１５】
請求項３においては、軸受部から流出した潤滑油が、タービンハウジング及びコンプレッサハウジングへと漏れるのを効果的に抑制することができる。
【００１６】
請求項４においては、軸受部から流出した潤滑油が、タービンハウジング及びコンプレッサハウジングへと漏れるのを効果的に抑制することができる。
【図面の簡単な説明】
【００１７】
【図１】本発明の一実施形態に係るターボチャージャーの構成を示した側面断面図。
【図２】本発明の一実施形態に係るターボチャージャーの軸受ハウジングを示した側面断面図。
【図３】本発明の一実施形態に係る軸受ハウジングにおける潤滑油の流れを示した側面断面図。
【図４】本発明の一実施形態に係る抵抗部により生じる潤滑油の流れを示した側面断面図。
【図５】（ａ）正面視略円弧状の複数の溝からなるタービン側抵抗部及びコンプレッサ側抵抗部を示した側面断面図。（ｂ）前後方向に間隔を空けて配置される複数の螺旋溝からなるタービン側抵抗部及びコンプレッサ側抵抗部を示した側面断面図。
【発明を実施するための形態】
【００１８】
以下では、図中の矢印Ｕ、矢印Ｄ、矢印Ｆ及び矢印Ｂで示した方向を、それぞれ上方向、下方向、前方向及び後方向と定義して説明を行う。
【００１９】
以下では、図１を参照して、本発明の一実施形態に係るターボチャージャー１０について説明する。
【００２０】
ターボチャージャー１０は、エンジン（不図示）の排気ガスによって駆動して、前記エンジンのシリンダ（不図示）に圧縮空気を送り込むものである。ターボチャージャー１０は、主としてシャフト２０、軸受ハウジング１００、タービン側浮動ブッシュ軸受３０、コンプレッサ側浮動ブッシュ軸受４０、スラスト軸受５０、タービンハウジング６０及びコンプレッサハウジング７０を具備する。
【００２１】
シャフト２０は、その長手方向を前後方向に向けて配置される。シャフト２０の一端部（前端部）にはタービンホイール２１が固定され、シャフト２０の他端部（後端部）にはコンプレッサホイール２２が固定される。このようにして、シャフト２０はタービンホイール２１とコンプレッサホイール２２とを連結する。シャフト２０は、後述する軸受ハウジング１００を前後方向に貫通するようにして配置される。
【００２２】
軸受ハウジング１００は、シャフト２０を内包すると共にシャフト２０を回転可能に支持するものである。軸受ハウジング１００は、前後方向においてタービンホイール２１とコンプレッサホイール２２との間に配置される。軸受ハウジング１００については後で詳述する。
【００２３】
タービン側浮動ブッシュ軸受３０は、シャフト２０と軸受ハウジング１００との間に介装され、当該シャフト２０を滑らかに回転させるためのものである。タービン側浮動ブッシュ軸受３０は、軸受ハウジング１００の前部に配置される。タービン側浮動ブッシュ軸受３０には、その外周面から内周面まで径方向に沿って貫通する複数の油路（不図示）が形成される。タービン側浮動ブッシュ軸受３０は、軸受ハウジング１００から供給される潤滑油によってシャフト２０及び軸受ハウジング１００に対して浮いた状態となり、シャフト２０の回転に引きずられてシャフト２０と同じ方向に回転する。
【００２４】
コンプレッサ側浮動ブッシュ軸受４０は、シャフト２０と軸受ハウジング１００との間に介装され、当該シャフト２０を滑らかに回転させるためのものである。コンプレッサ側浮動ブッシュ軸受４０は、軸受ハウジング１００の後部（タービン側浮動ブッシュ軸受３０の後方）に配置される点を除いてタービン側浮動ブッシュ軸受３０と同様に構成される。
【００２５】
スラスト軸受５０は、ターボチャージャー１０の駆動時にシャフト２０に作用するスラスト荷重を受けるためのものである。スラスト軸受５０は、コンプレッサ側浮動ブッシュ軸受４０の後方に配置される。
【００２６】
タービンハウジング６０は、タービンホイール２１を内包するものである。タービンハウジング６０は軸受ハウジング１００の前部に固定され、タービンホイール２１を覆うように形成される。
【００２７】
コンプレッサハウジング７０は、コンプレッサホイール２２を内包するものである。コンプレッサハウジング７０は軸受ハウジング１００の後部に固定され、コンプレッサホイール２２を覆うように形成される。
【００２８】
このように構成されるターボチャージャー１０のタービンハウジング６０には、前記エンジンの駆動に伴って排気ガスが供給される。タービンホイール２１は、排気ガスによって回転される。シャフト２０及びコンプレッサホイール２２は、タービンホイール２１と共に回転する。コンプレッサホイール２２の回転によって、ターボチャージャー１０は、コンプレッサハウジング７０から前記シリンダに圧縮空気を供給する。なお、本実施形態において、シャフト２０、タービン側浮動ブッシュ軸受３０及びコンプレッサ側浮動ブッシュ軸受４０は、正面視時計回り（右回り）方向に回転するものとする（図４参照）。
【００２９】
次に、図１及び図２を参照して、軸受ハウジング１００の構成について詳細に説明する。
【００３０】
軸受ハウジング１００は、主として軸受部１１０、冷却水路１２０、潤滑油路１３０及び抵抗部１４０等を具備する。
【００３１】
軸受部１１０は、タービン側浮動ブッシュ軸受３０及びコンプレッサ側浮動ブッシュ軸受４０を介してシャフト２０を回転可能に支持する部分である。軸受部１１０は、軸受ハウジング１００を前後方向に貫通するように形成された貫通孔により構成される。軸受部１１０は、正面視略円形状に形成される。軸受部１１０の前端部（タービンハウジング６０側の端部）には、タービン側浮動ブッシュ軸受３０が配置される。軸受部１１０の後端部（コンプレッサハウジング７０側の端部）には、コンプレッサ側浮動ブッシュ軸受４０が配置される。
【００３２】
冷却水路１２０は、軸受ハウジング１００及びシャフト２０を冷却するための冷却水を軸受ハウジング１００内に供給するためのものである。冷却水路１２０は、正面視略円弧状に形成されると共に、前後方向に延びるように形成される。冷却水は、軸受ハウジング１００の外側面で開口する冷却水供給口（不図示）から冷却水路１２０に供給され、冷却水路１２０を流れた後で軸受ハウジング１００の外側面で開口する冷却水排出口（不図示）から軸受ハウジング１００の外部に排出される。
【００３３】
潤滑油路１３０は、軸受部１１０及びスラスト軸受５０を潤滑するための潤滑油を軸受ハウジング１００内に供給するためのものである。潤滑油路１３０は、主として供給孔１３１、第一潤滑油路１３２、第二潤滑油路１３３、第三潤滑油路１３４及び第四潤滑油路１３５を具備する。
【００３４】
供給孔１３１は、側面視略円形状の孔である。供給孔１３１は、軸受部１１０の前後中途部の上方に配置される。供給孔１３１は、軸受ハウジング１００の外側面で開口する潤滑油供給口（不図示）と連通する。供給孔１３１には、前記潤滑油供給口から潤滑油が流入する。
【００３５】
第一潤滑油路１３２は、軸線を略前後方向に向けた正面視略円形状の孔である。第一潤滑油路１３２は、供給孔１３１から略前後方向に延びるように形成される。すなわち、第一潤滑油路１３２の前後中途部は、供給孔１３１と連通する。第一潤滑油路１３２の前端部は、軸受部１１０の前部（タービン側浮動ブッシュ軸受３０）の上方に配置される。第一潤滑油路１３２の後端部は、スラスト軸受５０に形成される油路（不図示）と接続される。
【００３６】
第二潤滑油路１３３は、軸線を上下方向に向けた平面視略円形状の孔である。第二潤滑油路１３３は、前後方向に間隔を空けて軸受ハウジング１００の二箇所に設けられる。前側の第二潤滑油路１３３は、第一潤滑油路１３２の前部から下方向に延びるように形成され、第一潤滑油路１３２の前部と軸受部１１０の前部（タービン側浮動ブッシュ軸受３０の前後中途部の上方）とを連通する。後側の第二潤滑油路１３３は、第一潤滑油路１３２の後部から下方向に延びるように形成され、第一潤滑油路１３２の後部と軸受部１１０の後部（コンプレッサ側浮動ブッシュ軸受４０の前後中途部の上方）とを連通する。
【００３７】
第三潤滑油路１３４は、タービン側浮動ブッシュ軸受３０の外径よりも大きな内径を有する正面視略円形状の孔である。第三潤滑油路１３４は、軸受部１１０の前方に配置され、その後端部が軸受部１１０の前端部と連通する。また、第三潤滑油路１３４の下端部は、軸受ハウジング１００の外側面で開口する潤滑油排出口（不図示）と連通する。
【００３８】
第四潤滑油路１３５は、軸受部１１０の前後中途部に形成される平面視略円形状の孔である。第四潤滑油路１３５は、軸受部１１０の下端部から下方向に延びるように形成される。第四潤滑油路１３５は、前記潤滑油排出口と連通する。
【００３９】
抵抗部１４０は、タービン側抵抗部１４１及びコンプレッサ側抵抗部１４２を具備する。
【００４０】
タービン側抵抗部１４１は、軸受部１１０の前部、より詳細にはタービン側浮動ブッシュ軸受３０が配置される部分に形成される一本の螺旋状の溝である。タービン側抵抗部１４１は、タービン側浮動ブッシュ軸受３０の外周面が軸受部１１０に対して摺動する部分の全体に亘って形成される。すなわち、タービン側抵抗部１４１は、タービン側浮動ブッシュ軸受３０と同じ位置に配置されると共に、前後方向における長さがタービン側浮動ブッシュ軸受３０と同じ長さとなるように形成される。タービン側抵抗部１４１の前後中途部は、前側の第二潤滑油路１３３と連通する。
【００４１】
タービン側抵抗部１４１は、正面視時計回り方向に沿って後方向に延びるような右螺旋溝である。このようなタービン側抵抗部１４１の螺旋の向きは、タービン側浮動ブッシュ軸受３０の回転方向に応じて適宜設定される。
【００４２】
コンプレッサ側抵抗部１４２は、軸受部１１０の後部、より詳細にはコンプレッサ側浮動ブッシュ軸受４０が配置される部分に形成される一本の螺旋状の溝である。コンプレッサ側抵抗部１４２は、コンプレッサ側浮動ブッシュ軸受４０の外周面が軸受部１１０に対して摺動する部分の全体に亘って形成される。すなわち、コンプレッサ側抵抗部１４２は、コンプレッサ側浮動ブッシュ軸受４０と同じ位置に配置されると共に前後方向における長さがコンプレッサ側浮動ブッシュ軸受４０と同じ長さとなるように形成される。コンプレッサ側抵抗部１４２の前後中途部は、後側の第二潤滑油路１３３と連通する。
【００４３】
コンプレッサ側抵抗部１４２は、タービン側抵抗部１４１とは反対向きの螺旋溝、すなわち、正面視時計回り方向に沿って前方向に延びるような左螺旋溝である。このようなコンプレッサ側抵抗部１４２の螺旋の向きは、コンプレッサ側浮動ブッシュ軸受４０の回転方向に応じて適宜設定される。
【００４４】
次に、図３及び図４を参照して、軸受ハウジング１００における潤滑油の流れについて説明する。
【００４５】
なお、図３は、潤滑油路１３０に沿って潤滑油が流れる様子を矢印で図示したものであり、図４は、抵抗部１４０によって生じる潤滑油の流れを矢印で図示したものである。図３においては、説明の便宜上、シャフト２０、タービン側浮動ブッシュ軸受３０及びコンプレッサ側浮動ブッシュ軸受４０等の図示を省略している。図４においては、説明の便宜上、シャフト２０の外周面とタービン側浮動ブッシュ軸受３０の内周面との間、シャフト２０の外周面とコンプレッサ側浮動ブッシュ軸受４０の内周面との間、軸受部１１０とタービン側浮動ブッシュ軸受３０の外周面との間及び軸受部１１０とコンプレッサ側浮動ブッシュ軸受４０の外周面との間に、比較的大きな隙間（実際の隙間よりも大きな隙間）を図示している。
【００４６】
図３に示すように、軸受ハウジング１００に流入した潤滑油は、潤滑油路１３０の供給孔１３１を介して第一潤滑油路１３２に流入する。第一潤滑油路１３２に流入した潤滑油は、第一潤滑油路１３２を略前後方向に流れる。
【００４７】
以下では、まず、第一潤滑油路１３２を略前方向に流れる潤滑油の流れについて説明する。
【００４８】
第一潤滑油路１３２を略前方向に流れた潤滑油は、前側の第二潤滑油路１３３を介して軸受部１１０の前部に流入する。軸受部１１０の前部に流入した潤滑油は、軸受部１１０（タービン側抵抗部１４１）とタービン側浮動ブッシュ軸受３０の外周面との間に流入すると共に、タービン側浮動ブッシュ軸受３０の前記油路を介してタービン側浮動ブッシュ軸受３０の内周面とシャフト２０の外周面との間に流入する（図４参照）。このような軸受部１１０の前部に流入した潤滑油は、軸受部１１０を前後方向に流れる。
【００４９】
図３及び図４に示すように、軸受部１１０の前部に形成されるタービン側抵抗部１４１は、タービン側浮動ブッシュ軸受３０の回転方向（正面視時計回り方向）に応じた螺旋状の溝（右螺旋溝）である。このため、軸受部１１０とタービン側浮動ブッシュ軸受３０の外周面との間に流入した潤滑油は、タービン側浮動ブッシュ軸受３０の回転によって後方向に流れようとする。従って、軸受部１１０とタービン側浮動ブッシュ軸受３０の外周面との間に流入した潤滑油のうち、軸受部１１０を前方向に流れた潤滑油は、前方向への流れが阻害され（コンプレッサハウジング７０側に流れるように促され）、流速が遅くなったり一部が後方向に流動されることとなる。
【００５０】
このため、軸受部１１０を前方向に流れた潤滑油は、軸受部１１０の前端部から第三潤滑油路１３４に徐々に流出し、第三潤滑油路１３４を介して軸受ハウジング１００の外部に排出される。また、軸受部１１０を後方向に流れた潤滑油は、軸受部１１０の前後中途部まで流れた後で第四潤滑油路１３５に流入し、第四潤滑油路１３５を介して軸受ハウジング１００の外部に排出される。
【００５１】
ここで、軸受部１１０の前端部から流出する潤滑油は、シャフト２０の回転に伴う遠心力によって飛散する。軸受ハウジング１００は、タービンホイール２１とのシール部によって前記飛散した潤滑油がタービンハウジング６０へと漏れるのを防止している。しかしながら、前記飛散する潤滑油の量が多い場合には、前記シール部からタービンハウジング６０へと漏れることとなる。
【００５２】
本実施形態においては、タービン側抵抗部１４１によって、軸受部１１０の前部に流入した潤滑油の前方向への流れを阻害することで、軸受部１１０の前端部から流出する潤滑油の量を抑制している（流出し難くしている）。これにより、軸受ハウジング１００は、軸受部１１０の前端部から流出して飛散する潤滑油の量を減らすことができるため、前記シール部からタービンハウジング６０へと潤滑油が漏れるのを抑制することができる。
【００５３】
次に、第一潤滑油路１３２を略後方向に流れる潤滑油の流れについて説明する。
【００５４】
図３に示すように、第一潤滑油路１３２を略後方向に流れた潤滑油は、後側の第二潤滑油路１３３を介して軸受部１１０の後部に流入すると共に、スラスト軸受５０の前記油路に流入する。軸受部１１０の後部に流入した潤滑油は、軸受部１１０（コンプレッサ側抵抗部１４２）とコンプレッサ側浮動ブッシュ軸受４０の外周面との間に流入すると共に、コンプレッサ側浮動ブッシュ軸受４０の前記油路を介してコンプレッサ側浮動ブッシュ軸受４０の内周面とシャフト２０の外周面との間に流入する（図４参照）。このような軸受部１１０の後部に流入した潤滑油は、軸受部１１０を前後方向に流れる。
【００５５】
図３及び図４に示すように、軸受部１１０の後部に形成されるコンプレッサ側抵抗部１４２は、コンプレッサ側浮動ブッシュ軸受４０の回転方向（正面視時計回り方向）に応じた螺旋状の溝（左螺旋溝）である。このため、軸受部１１０とコンプレッサ側浮動ブッシュ軸受４０の外周面との間に流入した潤滑油は、コンプレッサ側浮動ブッシュ軸受４０の回転によって前方向に流れようとする。従って、軸受部１１０とコンプレッサ側浮動ブッシュ軸受４０の外周面との間に流入した潤滑油のうち、軸受部１１０を後方向に流れた潤滑油は、後方向への流れが阻害され（タービンハウジング６０側に流れるように促され）、流速が遅くなったり一部が前方向に流動されることとなる。
【００５６】
このため、軸受部１１０を後方向に流れた潤滑油は、軸受部１１０の後端部から徐々に流出し、軸受ハウジング１００の外部に排出される。また、軸受部１１０を前方向に流れた潤滑油は、軸受部１１０の前後中途部まで流れた後で第四潤滑油路１３５に流入し、第四潤滑油路１３５を介して軸受ハウジング１００の外部に排出される。
【００５７】
ここで、軸受部１１０の後端部から流出する潤滑油は、シャフト２０の回転に伴う遠心力によって飛散する。軸受ハウジング１００は、コンプレッサホイール２２とのシール部によって前記飛散した潤滑油がコンプレッサハウジング７０へと漏れるのを防止している。しかしながら、前記飛散する潤滑油の量が多い場合には、前記シール部からコンプレッサハウジング７０へと漏れることとなる。
【００５８】
本実施形態においては、コンプレッサ側抵抗部１４２によって、軸受部１１０の後部に流入した潤滑油の後方向への流れを阻害することで、軸受部１１０の後端部から流出する潤滑油の量を抑制している（流出し難くしている）。これにより、軸受ハウジング１００は、軸受部１１０の後端部から流出して飛散する潤滑油の量を減らすことができるため、前記シール部からコンプレッサハウジング７０へと潤滑油が漏れるのを抑制することができる。
【００５９】
以上の如く、軸受ハウジング１００は、抵抗部１４０によって潤滑油がタービンハウジング６０及びコンプレッサハウジング７０へと漏れるのを抑制することができるため、潤滑油の消費量を低減することができる。また、軸受ハウジング１００は、タービンハウジング６０及びコンプレッサハウジング７０に漏れた潤滑油が排気ガス等の影響で燃焼することに起因する白煙の発生を抑制することができる。
【００６０】
また、抵抗部１４０は、軸受部１１０に螺旋状の溝を形成することでタービン側抵抗部１４１及びコンプレッサ側抵抗部１４２を構成することにより、潤滑油が軸受部１１０の前端部及び後端部から流出することを効果的に阻害することができる。
さらに、抵抗部１４０は、このよう螺旋状の溝を形成することにより、タービン側抵抗部１４１及びコンプレッサ側抵抗部１４２に潤滑油を保持することができる。従って、抵抗部１４０は、軸受部１１０とタービン側浮動ブッシュ軸受３０との潤滑性及び軸受部１１０とコンプレッサ側浮動ブッシュ軸受４０との潤滑性を向上することができる。
【００６１】
また、軸受部１１０には、軸受部１１０の前後中途部（タービン側抵抗部１４１及びコンプレッサ側抵抗部１４２の間）に、軸受部１１０の外部に潤滑油を流出させるための第四潤滑油路１３５が形成されている。
【００６２】
これによれば、軸受ハウジング１００は、軸受部１１０の前後中途部に流れた潤滑油が軸受部１１０に留まることを抑制することができる。従って、軸受ハウジング１００は、前記軸受部１１０に留まった潤滑油の影響で、タービン側抵抗部１４１による潤滑油の前方向への流れの阻害効果と、コンプレッサ側抵抗部１４２による潤滑油の後方向への流れの阻害効果とが薄くなることを抑制することができる。
【００６３】
これによれば、軸受ハウジング１００は、軸受部１１０の前端部及び後端部から流出する潤滑油の量をより低減することができるため、潤滑油がタービンハウジング６０及びコンプレッサハウジング７０へと漏れるのを効果的に抑制することができる。
【００６４】
以上の如く、本実施形態に係る軸受ハウジング１００は、タービンハウジング６０とコンプレッサハウジング７０との間に配置され、潤滑油が供給されると共に前記潤滑油を用いてシャフト２０を回転可能に支持するタービン側浮動ブッシュ軸受３０及びコンプレッサ側浮動ブッシュ軸受４０（浮動ブッシュ軸受）が配置される軸受部１１０を具備するターボチャージャー１０の軸受ハウジング１００であって、前記軸受部１１０の前記タービンハウジング６０側の端部及び前記コンプレッサハウジング７０側の端部の少なくともいずれか一方からの前記潤滑油の流出を阻害する抵抗部１４０を具備するものである。
【００６５】
このように構成することにより、軸受部１１０から流出した潤滑油が、タービンハウジング６０やコンプレッサハウジング７０へと漏れるのを抑制することができる。
【００６６】
また、前記タービン側浮動ブッシュ軸受３０及びコンプレッサ側浮動ブッシュ軸受４０は、前記軸受部１１０のタービンハウジング６０側及びコンプレッサハウジング７０側にそれぞれ配置され、前記抵抗部１４０は、前記軸受部１１０に溝状に形成され、前記タービン側浮動ブッシュ軸受３０（前記タービンハウジング６０側に配置される前記浮動ブッシュ軸受）の回転によって、前記タービン側浮動ブッシュ軸受３０の外周面と前記軸受部１１０との間を流れる潤滑油が、前記タービンハウジング６０側から前記コンプレッサハウジング７０側に流れるように促すタービン側抵抗部１４１と、前記軸受部１１０に溝状に形成され、前記コンプレッサ側浮動ブッシュ軸受４０（前記コンプレッサハウジング７０側に配置される前記浮動ブッシュ軸受）の回転によって、前記コンプレッサ側浮動ブッシュ軸受４０の外周面と前記軸受部１１０との間を流れる潤滑油が、前記コンプレッサハウジング７０側から前記タービンハウジング６０側に流れるように促すコンプレッサ側抵抗部１４２と、を具備するものである。
【００６７】
このように構成することにより、軸受部１１０から流出した潤滑油が、タービンハウジング６０及びコンプレッサハウジング７０へと漏れるのを抑制することができる。
【００６８】
また、前記タービン側抵抗部１４１及び前記コンプレッサ側抵抗部１４２は、タービン側浮動ブッシュ軸受３０及びコンプレッサ側浮動ブッシュ軸受４０の回転方向に沿って、前記潤滑油の流れを促す方向に延びる螺旋状に形成されるものである。
【００６９】
このように構成することにより、軸受部１１０から流出した潤滑油が、タービンハウジング６０及びコンプレッサハウジング７０へと漏れるのを効果的に抑制することができる。
【００７０】
また、前記軸受部１１０には、前記タービン側抵抗部１４１が形成される部分と前記コンプレッサ側抵抗部１４２が形成される部分との間に、前記潤滑油を前記軸受部１１０の外部に流出させる第四潤滑油路１３５（流出部）が形成されるものである。
【００７１】
このように構成することにより、軸受部１１０から流出した潤滑油が、タービンハウジング６０及びコンプレッサハウジング７０へと漏れるのを効果的に抑制することができる。
【００７２】
なお、本実施形態に係るタービン側浮動ブッシュ軸受３０及びコンプレッサ側浮動ブッシュ軸受４０は、本発明に係る浮動ブッシュ軸受の実施の一形態である。
また、本実施形態に係る第四潤滑油路１３５は、本発明に係る流出部の実施の一形態である。
【００７３】
本実施形態における正面視時計回り方向は、本発明に係る浮動ブッシュ軸受の回転方向に対応する。
【００７４】
以上、本発明の実施形態を説明したが、本発明は上記構成に限定されるものではなく、特許請求の範囲に記載された発明の範囲内で種々の変更が可能である。
【００７５】
例えば、本実施形態に係る抵抗部１４０は、タービン側抵抗部１４１及びコンプレッサ側抵抗部１４２をそれぞれ具備するものとしたが、本発明に係る抵抗部は、これに限定されるものでない。すなわち、本発明に係る抵抗部は、タービン側抵抗部１４１及びコンプレッサ側抵抗部１４２の少なくともいずれか一方を具備するものであれば良い。
【００７６】
また、本実施形態に係るタービン側抵抗部１４１及びコンプレッサ側抵抗部１４２は、螺旋状の溝であるものとしたが、本発明に係るタービン側抵抗部及びコンプレッサ側抵抗部の構成は、これに限定されるものでない。
【００７７】
すなわち、図５（ａ）に示すように、本発明に係るタービン側抵抗部は、正面視時計回り方向に沿って後方向に延びるような正面視略円弧状の複数の溝であっても良い。また、本発明に係るコンプレッサ側抵抗部は、正面視時計回り方向に沿って前方向に延びるような正面視略円弧状の複数の溝であっても良い。また、図５（ｂ）に示すように、本発明に係るタービン側抵抗部及びコンプレッサ側抵抗部は、前後方向に間隔を空けて配置される複数本（図５（ｂ）では２本）の螺旋溝であっても良い。また、本発明に係るタービン側抵抗部及びコンプレッサ側抵抗部は、軸受部１１０の前端部及び後端部から潤滑油が流出し難くなるような傾斜面（側面断面視略テーパ状に形成される面）であっても良い。
【００７８】
また、本実施形態に係る抵抗部１４０は、軸受部１１０の前部及び後部（タービン側浮動ブッシュ軸受３０及びコンプレッサ側浮動ブッシュ軸受４０が配置される部分）にのみ形成されるものとしたが、本発明に係る抵抗部が形成される部分は、これに限定されるものでない。すなわち、本発明に係る抵抗部は、軸受部１１０の前端部から後端部に亘って形成されるものであっても良い。この場合における本発明に係る抵抗部の構成としては、軸受部１１０の前端部から前後中央部に亘って形成されるタービン側抵抗部と、軸受部１１０の後端部から前後中央部に亘って形成されるコンプレッサ側抵抗部とを具備する構成が考えられる。
【００７９】
また、本発明に係る抵抗部は、軸受部１１０だけでなく、シャフト２０の外周面とタービン側浮動ブッシュ軸受３０の内周面及び外周面とコンプレッサ側浮動ブッシュ軸受４０の内周面及び外周面とに形成されていても良い。これにより、本発明に係る抵抗部は、軸受部１１０の前端部及び後端部からの潤滑油の流出を効果的に阻害することができるため、軸受部１１０からタービンハウジング６０及びコンプレッサハウジング７０への潤滑油の漏れを効果的に抑制することができる。
【００８０】
また、本実施形態に係るタービン側浮動ブッシュ軸受３０及びコンプレッサ側浮動ブッシュ軸受４０は、正面視時計回り方向に回転するものとしたが、本発明に係る浮動ブッシュ軸受の回転方向は、これに限定されるものでない。すなわち、本発明に係る浮動ブッシュ軸受の回転方向は、正面視反時計回り方向であっても良い。この場合におけるタービン側抵抗部１４１の形状としては、タービン側浮動ブッシュ軸受３０の回転によって潤滑油を後方向に流動させるような形状、具体的には左螺旋溝等が考えられる。また、この場合におけるコンプレッサ側抵抗部１４２の形状としては、コンプレッサ側浮動ブッシュ軸受４０の回転によって潤滑油を前方向に流動させるような形状、具体的には右螺旋溝等が考えられる。
【符号の説明】
【００８１】
１０    ターボチャージャー
２０    シャフト
３０    タービン側浮動ブッシュ軸受（浮動ブッシュ軸受）
４０    コンプレッサ側浮動ブッシュ軸受（浮動ブッシュ軸受）
６０    タービンハウジング
７０    コンプレッサハウジング
１００  軸受ハウジング
１１０  軸受部
１４０  抵抗部
【図１】
2016089795.tif 000003
【図２】
2016089795.tif 000004
【図３】
2016089795.tif 000005
【図４】
2016089795.tif 000006
【図５】
2016089795.tif 000007